(57)【要約】【課題】電気部品やワイヤハーネスのコネクタの配置に生じる制限を抑制することができる電気接続箱を提供する。【解決手段】電気接続箱１はリレー１３が取り付けられるカセットブロック３，３ｃが複数設けられた箱本体２を備えている。一つのカセットブロック３ｃにはヒュージブルリンク１４が取り付けられる。一つのカセットブロック３ｃの上面３ａが当該一つのカセットブロック３ｃに隣り合うカセットブロック３の上面３ａよりも上方側に配置されている。一つのカセットブロック３ｃから離れるのにしたがって上面３ａが徐々に下方に位置するように複数のカセットブロック３が配置されている。【選択図】図２
2012005162.tif 000002
【特許請求の範囲】
【請求項１】
電気部品が取り付けられる装着部が複数設けられた箱本体と、
前記箱本体に設けられかつヒュージブルリンクが取り付けられる取付部と、を備えた電気接続箱において、
前記取付部の上面が当該取付部に隣り合う装着部の上面よりも上方側に配置されていることを特徴とする電気接続箱。
【請求項２】
前記取付部から離れるのにしたがって前記上面が徐々に下方に位置するように、前記複数の装着部が配置されていることを特徴とする請求項１記載の電気接続箱。
【発明の詳細な説明】
【技術分野】
【０００１】
本発明は、移動体としての自動車などに搭載される電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下電気接続箱（例えば、特許文献１参照）と呼ぶ。
【０００５】
特許文献１などに示された電気接続箱は、外郭を形成する箱本体と、この箱本体に取り付けられるヒュージブルリンクと、前記箱本体内に設けられたバスバと、前記箱本体の上面を覆うアッパカバーと、前記箱本体の下面を覆うロアカバーと、を備えている。箱本体は、枠状の本体部と、この本体部内に収容されかつリレーやヒューズなどの電気部品が装着される装着部としての複数のカセットブロックと、を備えている。カセットブロックは、その上面に前述した電気部品が取り付けられる。また、カセットブロックは、その下面に前記自動車に搭載される各種の電子機器に接続したワイヤハーネスのコネクタが嵌合する。
【０００６】
ヒュージブルリンクは、ヒューズ回路体と、ハウジングとを備えている。ヒューズ回路体は、電源入力部と、複数の出力端子と、前記電源入力部と各出力端子とを接続した可溶体部とを備えている、電源入力部には、バスバなどを介して、バッテリや発電機などの電源からの電力が供給される。出力端子は、前述したワイヤハーネスの電線の端末に取り付けられた端子金具が接続して、当該電線などを介して前述した電子機器と接続する。可溶体部は、予め定められた電流値を超える電流が流れると溶断して、電源入力部と出力端子とを電気的に絶縁する。可溶体部は、予め定められた電流値を下回る電流が流れている場合には、溶断せずに、電源入力部と出力端子とを電気的に接続して、電源入力部などからの電力を前述した電子機器に供給する。
【０００７】
ハウジングは、絶縁性の合成樹脂で構成され、かつ扁平な箱状のハウジング本体と、このハウジング本体の開口を塞ぐ透明カバーとを備えている。ハウジング本体は、ヒューズ回路体の電源入力部と出力端子の端部を除く部分を収容している。ハウジング本体には、前記可溶体部を露出させる開口が設けられている。透明カバーは、透明な合成樹脂で構成され、平板状に形成されて前記開口を塞いだ状態でハウジング本体に取り付けられる。透明カバーは、外側から可溶体部が溶断しているか否かを視認可能としている。
【０００８】
前述した構成のヒュージブルリンクは、複数のカセットブロックのうち一つのカセットブロックに取り付けられる。
【０００９】
バスバは、導電性の板金に打ち抜き加工と曲げ加工が施されて得られ、複数設けられている。バスバは、カセットブロック内に収容されている。複数のバスバのうち一つのバスバには、前述した電源に接続した電源ケーブルが取り付けられる。また、複数のカセットブロック内のバスバは、予め定められるパターンにしたがって互いに接続している。各カセットブロック内のバスバは、当該カセットブロックに取り付けられる電気部品、ヒュージブルリンクが取り付けられる場合には当該ヒュージブルリンク及びワイヤハーネスの各電線とを予め定められるパターンにしたがって互いに電気的に接続する。
【００１０】
前述した電気接続箱は、電源からの電力が電源ケーブルにより供給され、この電力を、複数のカセットブロックのバスバなどにより分岐し、前述したヒューズ、リレーやヒュージブルリンクを通した後に、ワイヤハーネスの電線を介して、各種の電子機器に供給する。
【先行技術文献】
【特許文献】
【００１１】
【特許文献１】特開２００１-２１１５２５号公報
【発明の概要】
【発明が解決しようとする課題】
【００１２】
前述した特許文献１などに示された従来の電気接続箱では、ヒュージブルリンクの各可溶体が溶断したか否かを確実に視認できるようにするために、当該ヒュージブルリンクを箱本体の外縁に設ける必要があった。このために、前述したヒューズやリレーなどの電気部品や、ワイヤハーネスのコネクタの配置に制限が生じ、カセットブロックの数が増加する傾向であった。
【００１３】
したがって、本発明の目的は、電気部品やワイヤハーネスのコネクタの配置に生じる制限を抑制することができる電気接続箱を提供することにある。
【課題を解決するための手段】
【００１４】
前記課題を解決し目的を達成するために、請求項１に記載の本発明の電気接続箱は、電気部品が取り付けられる装着部が複数設けられた箱本体と、前記箱本体に設けられかつヒュージブルリンクが取り付けられる取付部と、を備えた電気接続箱において、前記取付部の上面が当該取付部に隣り合う装着部の上面よりも上方側に配置されていることを特徴としている。
【００１５】
請求項２に記載の本発明の電気接続箱は、請求項１記載の電気接続箱において、前記取付部から離れるのにしたがって前記上面が徐々に下方に位置するように、前記複数の装着部が配置されていることを特徴としている。
【００１６】
請求項１に記載した本発明の電気接続箱によれば、ヒュージブルリンクが取り付けられる取付部の上面が当該取付部に隣り合う装着部の上面よりも上方側に配置されているので、箱本体の上方からみると、ヒュージブルリンクが露出した状態となっている。
【００１７】
請求項２に記載した本発明の電気接続箱によれば、取付部から離れるのにしたがって装着部の上面が徐々に下方に位置しているので、箱本体の上方からみると、ヒュージブルリンクがより確実に露出した状態となっている。
【発明の効果】
【００１８】
以上説明したように請求項１に記載の本発明は、箱本体の上方からみると、ヒュージブルリンクが露出した状態となっているので、当該取付部に取り付けられるヒュージブルリンクを箱本体の中央部に配置しても当該取付部に取り付けられるヒュージブルリンクが勿論、露出した状態となる。このために、取付部に取り付けられるヒュージブルリンクを箱本体の中央部に配置しても当該ヒュージブルリンクの可溶体部を確実に視認することができる。よって、ヒュージブルリンクを箱本体の外縁に設ける必要がなくなり、ヒューズやリレーなどの電気部品やワイヤハーネスのコネクタの配置に生じる制限を抑制でき、カセットブロックの数が増加することを防止できる。
【００１９】
請求項２に記載の本発明は、箱本体の上方からみると、ヒュージブルリンクがより確実に露出した状態となるので、ヒュージブルリンクを箱本体の外縁に設ける必要が確実になくなり、ヒューズやリレーなどの電気部品やワイヤハーネスのコネクタの配置に生じる制限をより確実に抑制できる。
【図面の簡単な説明】
【００２０】
【図１】本発明の一実施形態に係る電気接続箱の要部の斜視図である。
【図２】図１中のＩＩ−ＩＩ線に沿う断面図である。
【図３】図１に示された電気接続箱のヒュージブルリンクの斜視図である。
【図４】図３に示されたヒュージブルリンクが一つのカセットブロックに取り付けられる状態を示す斜視図である。
【図５】図４中のＶ部を拡大して示す斜視図である。
【図６】図４中のＶＩ部を拡大して示す斜視図である。
【発明を実施するための形態】
【００２１】
以下、本発明の一実施形態にかかる電気接続箱を、図１ないし図６に基づいて説明する。本実施形態にかかる図１に示す電気接続箱１は、移動体としての自動車に搭載される。電気接続箱１は、図１及び図２に示すように、箱本体２と、複数の電気部品としてのリレー１３やヒューズと、前記箱本体２内に設けられた図示しないバスバと、接続部材４と、前記箱本体２に取り付けられるヒュージブルリンク１４と、箱本体２の上面を覆う図示しないアッパカバーと、箱本体２の下面を覆うロアカバー１５と、を備えている。
【００２２】
箱本体２は、枠状の本体部１６と、この本体部１６内に収容される複数の装着部としてのカセットブロック３とを備えている。本体部１６は、絶縁性の合成樹脂からなり、周知の射出成形により成形される。本体部１６は、互いに連なる複数の外壁５により、筒状（枠状）に形成されている。箱本体２内の空間は、複数の隔壁６により区画されている。箱本体２を構成する複数の外壁５や隔壁６によって囲まれた空間の図１及び図２中の上下に位置する両端は、開口している。
【００２３】
カセットブロック３は、前記複数の外壁５や隔壁６によって囲まれた空間内に収容可能な大きさの箱状に形成されている。カセットブロック３は、前記複数の外壁５や隔壁６によって囲まれた空間内に収容された状態で、本体部１６に取り付けられる。また、カセットブロック３の図１及び図２の上方側に位置する上面３ａには、前述したリレー１３やヒューズなどの電気部品が取り付けられ、かつ、カセットブロック３の図１及び図２の下方側に位置する下面３ｂには、前述した自動車に配索されるワイヤハーネスのコネクタが嵌合する。ワイヤハーネスの前記コネクタが取り付けられた電線は、自動車に搭載される各種の電子機器に接続している。なお、上面３ａとは、カセットブロック３のリレー１３やヒューズなどが取り付けられる面を示し、下面３ｂとは、カセットブロック３のワイヤハーネスのコネクタが嵌合する面を示している。
【００２４】
前述した複数のカセットブロック３のうちの図２中の最も左側に位置する一つのカセットブロック３（以下、符号３ｃで示す）の上面３ａには、バッテリや発電機などの電源と接続するための端子台１０ａと、ヒュージブルリンク１４と接続するための端子台１０ｂとが設けられている。端子台１０ａは、この一つのカセットブロック３ｃが箱本体２に取り付けられると、当該箱本体２の外縁の近傍に配置されている。端子台１０ｂは、この一つのカセットブロック３ｃが箱本体２に取り付けられると、当該箱本体２の中央寄りに配置されている。
【００２５】
各端子台１０ａ，１０ｂは、図４及び図５に示すように、後述するバスバに連なってカセットブロック３ｃの上面３ａに露出したベース板部１１と、このベース板部１１から立設したネジ軸１２とを備えている。ベース板部１１が、カセットブロック３ｃの上面３ａに露出することで、当該端子台１０ａ，１０ｂは、カセットブロック３ｃの上面３ａに設けられている。ベース板部１１は、勿論、導電性の金属で構成されている。ネジ軸１２の外周面には、ネジ溝が設けられている。
【００２６】
端子台１０ａは、電源に接続した電源ケーブルの端末に取り付けられた端子金具の電気接触部の通し孔内に前記ネジ軸１２が通された状態で、当該電気接触部が重ねられて、ネジ軸１２に図示しないナットが螺合することで、電源と接続する。
【００２７】
また、前述した一つのカセットブロック３ｃの箱本体２の中央よりの側面には、図４及び図６に示すように、ヒュージブルリンク１４を固定するためのボルト螺合孔１７が設けられている。ボルト螺合孔１７は、勿論、前述した側面に開口しており、カセットブロック３ｃ内に埋設されたナットのねじ孔と連通している。なお、前述した一つのカセットブロック３ｃは、特許請求の範囲に記載された取付部をなしている。
【００２８】
さらに、前述した一つのカセットブロック３ｃは、図２に示すように、その上面３ａが当該一つのカセットブロック３ｃに隣り合う他のカセットブロック３の上面３ａよりも上方側に位置するように、箱本体２の本体部１６に取り付けられている即ち配置されている。さらに、複数のカセットブロック３は、図２に示すように、前記一つのカセットブロック３ｃから離れるのにしたがって、上面３ａが徐々に下方に位置するように、箱本体２の本体部１６に取り付けられている即ち配置されている。
【００２９】
リレー１３やヒューズなどの電気部品は、所定のカセットブロック３，３ｃの上面３ａに取り付けられる。バスバは、導電性の板金などで構成され、各カセットブロック３内に設けられて、カセットブロック３の下面３ｂに嵌合したワイヤハーネスのコネクタの端子即ち電線と、上面３ａに取り付けられた前記電気部品とを予め定められたパターンにしたがって電気的に接続している。また、前述した一つのカセットブロック３ｃ内に設けられたバスバは、端子台１０ａ，１０ｂのベース板部１１と、下面３ｂに嵌合したワイヤハーネスのコネクタの端子即ち電線と、上面３ａに取り付けられた前記電気部品とを予め定められたパターンにしたがって電気的に接続している。接続部材４は、図１には一つのみ示されており、互いに隣り合うカセットブロック３，３ｃのバスバ同士を電気的及び機械的に接続している。
【００３０】
ヒュージブルリンク１４は、図３に示すように、ヒューズ回路体１８と、ハウジング１９とを備えている。ヒューズ回路体１８は、電源入力部２０と、複数の出力端子２１と、前記電源入力部２０と各出力端子２１とを接続した可溶体部２２とを備えている、電源入力部２０の端部には、端子台１０ｂのネジ軸１２を通す通し孔２３が設けられている。電源入力部２０は、図４及び図５に示すように、通し孔２３内にネジ軸１２を通してベース板部１１に重ねられて、前記ネジ軸１２にナットが螺合されて、当該ナットと端子台１０ｂのベース板部１１との間に挟まれて、当該端子台１０ｂに取り付けられる。電源入力部２０は、端子台１０ａ，１０ｂ及び電源ケーブルなどを介して、バッテリや発電機などの電源からの電力が供給される。
【００３１】
出力端子２１は、前述したワイヤハーネスの電線の端末に取り付けられた端子金具が接続して、当該電線などを介して前述した電子機器と接続する。可溶体部２２は、予め定められた電流値を超える電流が流れると溶断して、電源入力部２０と出力端子２１とを電気的に絶縁する。可溶体部２２は、予め定められた電流値を下回る電流が流れている場合には、溶断せずに、電源入力部２０と出力端子２１とを電気的に接続して、電源入力部２０などからの電力を前述した電子機器に供給する。
【００３２】
ハウジング１９は、絶縁性の合成樹脂で構成され、かつ扁平な箱状のハウジング本体２４と、このハウジング本体２４の開口２４ａを塞ぐ透明カバー２５とを備えている。ハウジング本体２４は、ヒューズ回路体１８の電源入力部２０の通し孔２３が設けられた端部と出力端子２１の端部を除く電源入力部２０と出力端子２１と可溶体部２２の略全体を収容している。ハウジング本体２４には、前記可溶体部２２を外部に露出させる開口２４ａが設けられている。透明カバー２５は、透明な合成樹脂で構成され、平板状に形成されて前記開口２４ａを塞いだ状態でハウジング本体２４に取り付けられる。透明カバー２５は、外側から可溶体部２２が溶断しているか否かを視認可能としている。また、ハウジング１９のハウジング本体２４には、ボルト螺合孔１７に重なる固定片２６が設けられている。固定片２６には、ボルト螺合孔１７に連通するボルト通し孔２７が設けられている。
【００３３】
前述した構成のヒュージブルリンク１４は、電源入力部２０が前述したように端子台１０ｂに取り付けられると、図４及び図６に示すように、固定片２６がボルト螺合孔１７に重なる。そして、ボルト通し孔２７内を通ったボルトがボルト螺合孔１７内に設けられたナットに螺合して、固定片２６がボルトの頭と一つのカセットブロック３の側面との間に挟まれて、当該固定片２６が一つのカセットブロック３に固定される。こうして、前述した構成のヒュージブルリンク１４は、前述した一つのカセットブロック３に取り付けられる。
【００３４】
アッパカバーは、絶縁性の合成樹脂で構成されて、箱本体２の上面を覆うように、当該箱本体２に取り付けられる。ロアカバー１５は、絶縁性の合成樹脂で構成されて、箱本体２の下面を覆うように、当該箱本体２に取り付けられる。
【００３５】
前述した構成の電気接続箱１は、電源ケーブルから供給された電源からの電力を分岐して、リレー、ヒューズ及びヒュージブルリンク１４の可溶体部２２を通して、ワイヤハーネスを介して自動車に搭載される各電子機器に供給する。
【００３６】
本実施形態によれば、ヒュージブルリンク１４が取り付けられる一つのカセットブロック３ｃの上面３ａが当該一つのカセットブロック３ｃに隣り合うカセットブロック３の上面３ａよりも上方側に配置されているので、箱本体２の上方からみると、ヒュージブルリンク１４が露出した状態となっている。
【００３７】
このために、当該一つのカセットブロック３ｃに取り付けられるヒュージブルリンク１４を箱本体２の中央部に配置しても当該一つのカセットブロック３ｃに取り付けられるヒュージブルリンク１４が勿論露出した状態となる。このために、一つのカセットブロック３ｃに取り付けられるヒュージブルリンク１４を箱本体２の中央部に配置しても当該ヒュージブルリンク１４の可溶体部２２を確実に視認することができる。よって、ヒュージブルリンク１４を箱本体２の外縁に設ける必要がなくなり、ヒューズやリレー１３などの電気部品やワイヤハーネスのコネクタの配置に生じる制限を抑制でき、カセットブロック３，３ｃの数が増加することを防止できる。
【００３８】
また、一つのカセットブロック３ｃから離れるのにしたがってカセットブロック３の上面３ａが徐々に下方に位置しているので、箱本体２の上方からみると、ヒュージブルリンク１４がより確実に露出した状態となっている。このために、ヒュージブルリンク１４を箱本体２の外縁に設ける必要が確実になくなり、ヒューズやリレー１３などの電気部品やワイヤハーネスのコネクタの配置に生じる制限をより確実に抑制できる。
【００３９】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４０】
１  電気接続箱
２  箱本体
３  カセットブロック（装着部）
３ａ  上面
３ｃ  一つのカセットブロック（装着部、取付部）
１３  リレー（電気部品）
１４  ヒュージブルリンク
【図１】
2012005162.tif 000003
【図２】
2012005162.tif 000004
【図３】
2012005162.tif 000005
【図４】
2012005162.tif 000006
【図５】
2012005162.tif 000007
【図６】
2012005162.tif 000008